(57)【要約】【課題】多くの機能を有するタオルを提供する。【解決手段】長方形状のタオル本体２０の第１長辺２１ａの中央部分にはループ３０が設けられており、第２長辺２１ｂ及び第１短辺２２ａの角部・第２長辺２１ｂ及び第２短辺２２ｂの角部の各近傍にホック（オス）４０ａ及びホック（メス）４０ｂが設けられている。タオル本体２０のおもて面２５Ａはガーゼ状に形成されており、裏面２５Ｂにはパイルが形成されている。【選択図】図１
0003213302.tif 000002
【実用新案登録請求の範囲】
【請求項１】
少なくともほぼ平行な一対の長辺を有する形状のタオル地の布を主体として形成され、
前記一対の長辺のうちの一辺である第１長辺のほぼ中央部分にループが設けられている、
多機能タオル。
【請求項２】
請求項１に係る考案の多機能タオルであって、
前記一対の長辺のうちの他辺である第２長辺の近傍において、その各端部の近傍にホック（オス）及びホック（メス）が設けられている、
多機能タオル。
【請求項３】
請求項２に係る考案の多機能タオルであって、
前記タオル本体のおもて面及び裏面の一方がガーゼ状をなしパイルが形成されず、他方にパイルが形成されている、
多機能タオル。
【考案の詳細な説明】
【技術分野】
【０００１】
本考案は、多くの機能を有するタオルに関するものである。
【背景技術】
【０００２】
タオルは、基本的に、帯状（細長い長方形状）をしており、その両面又は片面に多数のパイルが形成されている。
このため、肌触りが良いとともに、高い吸水性が得られるため、広く使用されている。
【０００３】
しかしながら、前述したように、タオルは帯状（細長い長方形状）をしているのみであり、多くの機能を発揮することに限界がある。
【０００４】
なお、本考案に関連する先行技術として、特許文献１に記載されているものがある。
【先行技術文献】
【特許文献】
【０００５】
【特許文献１】特開２０１６−４９３６６号公報
【考案の概要】
【考案が解決しようとする課題】
【０００６】
本考案は、多くの機能を有するタオルを提供することを課題とする。
【課題を解決するための手段】
【０００７】
この課題を解決するために、請求項１に係る考案は、少なくともほぼ平行な一対の長辺を有する形状のタオル地の布を主体として形成され、前記一対の長辺のうちの一辺である第１長辺のほぼ中央部分にループが設けられている、多機能タオルである。
【０００８】
この考案の多機能タオルでは、そのループにおいて、ベビーカー等（その突出部等）に掛けることができる。
このため、この考案の多機能タオルは、保護者等が乳幼児をベビーカーに乗せて移動する際に、そのベビーカーとともに運ぶことができる。そして、そのベビーカーで出かけた先において、当該タオルを使用することが可能である。
【０００９】
請求項２に係る考案は、請求項１に係る考案の多機能タオルであって、前記一対の長辺のうちの他辺である第２長辺の近傍において、その各端部の近傍にホック（オス）及びホック（メス）が設けられている、多機能タオルである。
【００１０】
この考案の多機能タオルでは、請求項１に係る考案の多機能タオルの作用効果に加えて、次の作用効果が得られる。
すなわち、タオル本体の第２長辺のうちの一辺の近傍においてその各端部の近傍に設けられたホック（オス）とホック（メス）とが結合されることによって、前掛け（よだれかけ）になり得る。
【００１１】
その際、その前掛け（よだれかけ）は、タオル地の布を主体として形成されているため、高い吸水性が得られる。
また、第２長辺の近傍の各端部の近傍同士を結合するのがホックであるため、肌触りを損ねることなく、快適に使用できる。すなわち、両者を結合するものが面ファスナによるものであると、面ファスナ（オス）と面ファスナ（メス）との相対的位置関係がずれた際には、面ファスナ（オス）又は面ファスナ（メス）の一部が使用者（乳幼児）に触れる可能性もあり、その場合は、使用者（乳幼児）に対して不快感を与えることとなるが、この考案の多機能タオルでは、そのような事態が回避されるのである。
【００１２】
請求項３に係る考案は、請求項２に係る考案の多機能タオルであって、前記タオル本体のおもて面及び裏面の一方がガーゼ状をなしパイルが形成されず、他方にパイルが形成されている、多機能タオルである。
【００１３】
この考案の多機能タオルでは、請求項２に係る考案の多機能タオルの作用効果に加えて、次の作用効果が得られる。
すなわち、この考案の多機能タオルが前述したように前掛け（よだれかけ）として使用される際に、ガーゼ状をなす面がおもて側とされることによって、乳幼児にとって肌に優しい。また、乳幼児がよだれや飲み物等をこぼした場合でも、それらはパイルが形成されている裏面の側において保持され、ガーゼ状をなすおもて面の側は水分の少ない状態となり、さわやかな肌触りが維持される。
【図面の簡単な説明】
【００１４】
【図１】本考案の一実施例の多機能タオルを示す図であり、（ａ）正面図であり、（ｂ）は背面図である。
【図２】本考案の一実施例の多機能タオルの第１の使用状態を示す図である。
【図３】本考案の一実施例の多機能タオルの第２の使用状態を示す図である。
【考案を実施するための形態】
【００１５】
次に、本考案の一実施例について、図面に基づいて説明する。
図１に示すように、この多機能タオル１０は、タオル本体２０を主体として形成されている。
タオル本体２０は長方形状をしており、一対の長辺（第１長辺２１ａ・第２長辺２１ｂ）・一対の短辺（第１短辺２２ａ・第２短辺２２ｂ）を有している。
【００１６】
タオル本体２０のおもて面２５Ａはガーゼ状に形成されており（パイルが形成されていない）、タオル本体２０の裏面２５Ｂにはパイルが形成されている。
【００１７】
タオル本体２０の第１長辺２１ａの中央部分にはループ３０が設けられている。ループ３０は、幅広かつ薄肉状の紐材の両端部が第１長辺２１ａの中央部分に縫い付けられて形成されている。
【００１８】
タオル本体２０の第２長辺２１ｂ及び第１短辺２２ａの角部の近傍には、ベース部４２ａとともに、ホック（オス）４０ａが取り付けられている。ベース部４２ａはタオル本体２０の裏面２５Ｂの側に位置し、ホック（オス）４０ａは同おもて面２５Ａの側に位置し、両者がタオル本体２０を挟んで結合されている。
同様にして、タオル本体２０の第２長辺２１ｂ及び第２短辺２２ｂの角部の近傍には、ベース部４２ｂとともに、ホック（メス）４０ｂが取り付けられている。ベース部４２ｂはタオル本体２０のおもて面２５Ａの側に位置し、ホック（メス）４０ｂは同裏面２５Ｂの側に位置し、両者がタオル本体２０を挟んで結合されている。
【００１９】
次に、多機能タオル１０の使用方法及び作用効果について説明する。
図２に示すように、この多機能タオル１０については、そのループ３０において、ベビーカーＣの突出部Ｈに掛けることができる。
その状態で、保護者等が乳幼児をベビーカーＣに乗せて移動し、そのベビーカーＣで出かけた先において、多機能タオル１０を使用することが可能である。
【００２０】
また、図３に示すように、おもて面２５Ａをおもて側にし第２長辺２１ｂを上方にした状態で、第２長辺２１ｂを乳幼児の首のまわりに沿わせ、ホック（オス）４０ａとホック（メス）４０ｂとを結合させる。
こうして、この多機能タオル１０は前掛け（よだれかけ）になり得る。
【００２１】
その際、まずは、その前掛け（よだれかけ）がタオル本体２０によって形成されているため、高い吸水性が得られる。
また、タオル本体２０のうちガーゼ状に形成されたおもて面２５Ａがおもて側（外側）になるため、乳幼児の肌に優しい。すなわち、おもて面２５Ａにおいて乳幼児の口やその周囲を拭く場合においても、乳幼児の肌に刺激を与えることがない。
また、乳幼児がよだれや飲み物等をこぼした場合でも、それらはパイルが形成されている裏面２５Ｂの側において保持され、ガーゼ状をなすおもて面２５Ａの側は水分の少ない状態となり、さわやかな肌触りが維持される。
【００２２】
このように、この多機能タオル１０では、単なるタオルとは異なり、種々の態様で使用することが可能である。
【００２３】
なお、上記のものはあくまで本考案の一実施例にすぎず、当業者の知識に基づき種々の変更を加えた態様で本考案を実施できることはもちろんである。
【符号の説明】
【００２４】
１０  多機能タオル
２０  タオル本体
２１ａ  第１長辺
２１ｂ  第２長辺
２２ａ  第１短辺
２２ｂ  第２短辺
３０  ループ
４０ａ  ホック（オス）
４０ｂ  ホック（メス）
【図１】
0003213302.tif 000003
【図２】
0003213302.tif 000004
【図３】
0003213302.tif 000005